(57)【要約】【課題】カフから排出される空気を利用する血圧情報測定装置を提供する。【解決手段】血圧情報測定装置１００は、本体１１０と、カフ部１７０とを備える。本体１１０は、ＣＰＵ１２０と、加圧部１３０と、圧力検出部１４０と、排気部１５０と、鳴動部１６０とを含む。圧力検出部１４０は、カフ部１７０に供給される空気圧を検出する。圧力検出部１４０から出力される信号は、ＣＰＵ１２０に入力される。鳴動部１６０は、排気部１５０によって排出される空気に基づいて音を発する。【選択図】図１
2010029377.tif 000002
【特許請求の範囲】
【請求項１】
筐体と、
カフと、
前記カフに空気を供給する供給手段と、
前記カフから排気する排気手段と、
前記排気手段から出力される空気に基づいて鳴動する鳴動手段とを備える、血圧情報測定装置。
【請求項２】
前記鳴動手段は、空孔が形成された排気溝、ベル、および笛、の少なくともいずれかを含む、請求項１に記載の血圧情報測定装置。
【請求項３】
空気を排出するための排気口が前記筐体に形成されており、
前記鳴動手段は、前記排気口と前記排気手段との間に配置されている、請求項１または請求項２に記載の血圧情報測定装置。
【請求項４】
前記排気口と前記排気手段との間に溝が形成されており、
前記溝の側面には、穴が形成されている、請求項３に記載の血圧情報測定装置。
【請求項５】
前記鳴動手段は複数の鳴動部を含み、前記排気手段から各前記鳴動部までの各経路は異なり、
前記血圧情報測定装置は、前記排気手段からの排気の経路を切り換えるスイッチをさらに備える、請求項１から請求項４のいずれかに記載の血圧情報測定装置。
【請求項６】
前記カフを保護するカバーをさらに備え、
空気を排出するための排気口は、前記カバーに形成されている、請求項１に記載の血圧情報測定装置。
【請求項７】
前記排気口に、吹流しが取り付けられている、請求項６に記載の血圧情報測定装置。
【発明の詳細な説明】
【技術分野】
【０００１】
本発明は血圧情報測定装置に関し、特に、音を発する血圧情報測定装置に関する。
【背景技術】
【０００２】
血圧計その他の血圧情報測定装置は、空気袋（以下「カフ」という。）を備える。血圧情報測定装置は、測定時に予め規定された圧力までカフを加圧し、計測後、空気を排出する。計測結果は、通常は、血圧情報測定装置が備えるモニタに表示され、あるいは、音で報知される。
【０００３】
たとえば、特開２００７−１３５８１８号公報（特許文献１）は、血圧測定回数のカウント結果を音で報知する電子血圧計を開示する（段落００２２）。
【特許文献１】特開２００７−１３５８１８号公報
【発明の開示】
【発明が解決しようとする課題】
【０００４】
一般に、音による報知は電子音で行なわれる。そのため、血圧情報の測定以外の電力消費が増えるという問題点があった。
【０００５】
本発明は、上述のような問題点を解決するためになされたものであって、その目的は、電力消費を抑制できる血圧情報測定装置を提供することである。
【課題を解決するための手段】
【０００６】
この発明のある局面に従う血圧情報測定装置は、筐体と、カフと、カフに空気を供給する供給手段と、カフから排気する排気手段と、排気手段から出力される空気に基づいて鳴動する鳴動手段とを備える。
【０００７】
好ましくは、鳴動手段は、空孔が形成された排気溝、ベル、および笛、の少なくともいずれかを含む。
【０００８】
好ましくは、空気を排出するための排気口が筐体に形成されている。鳴動手段は、排気口と排気手段との間に配置されている。
【０００９】
好ましくは、排気口と排気手段との間に溝が形成されている。溝の側面には、穴が形成されている。
【００１０】
好ましくは、鳴動手段は複数の鳴動部を含む。排気手段から各鳴動部までの各経路は異なる。血圧情報測定装置は、排気手段からの排気の経路を切り換えるスイッチをさらに備える。
【００１１】
好ましくは、血圧情報測定装置は、カフを保護するカバーをさらに備える。空気を排出するための排気口は、カバーに形成されている。
【００１２】
好ましくは、排気口に、吹流しが取り付けられている。
【発明の効果】
【００１３】
本発明によると、排気による音が鳴動するため、電力消費を伴うことなく音による報知を実現することができる。
【発明を実施するための最良の形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
＜第１の実施の形態＞
［技術思想］
図１を参照して、本発明の第１の実施の形態に係る血圧情報測定装置１００の技術思想について説明する。図１は、血圧情報測定装置１００を実現する構成を表わすブロック図である。ここで、「血圧情報」とは、生体から測定して得られる血圧に関連する情報をいう。具体的には、血圧情報は、血圧値、脈波波形、心拍数などを含み得る。
【００１６】
血圧情報測定装置１００は、本体１１０と、カフ部１７０とを備える。本体１１０は、ＣＰＵ（Central  Processing  Unit）１２０と、加圧部１３０と、圧力検出部１４０と、排気部１５０と、鳴動部１６０とを含む。圧力検出部１４０は、カフ部１７０に供給される空気圧を検出する。圧力検出部１４０から出力される信号は、ＣＰＵ１２０に入力される。
【００１７】
ＣＰＵ１２０は、カフ部１７０に与えられる空気圧を制御するための信号を加圧部１３０に送出する。加圧部１３０は、その信号に基づいて弁の開閉を制御し、カフ部１７０に対する空気の供給圧力を制御する。
【００１８】
排気部１５０は、ＣＰＵ１２０から出力される信号に基づいて、カフ部１７０に含まれている空気を開放する。排気部１５０によって排出される空気は、本体１１０の内部に自然開放されるが、その一部は、鳴動部１６０に向かって流れる。鳴動部１６０は、その空気に基づいて音を発する。
【００１９】
ある局面において、ＣＰＵ１２０は、鳴動部１６０の鳴動動作を制御する。たとえば、ＣＰＵ１２０は、鳴動部１６０に対する排気口の一部を遮断／開閉することにより、排気部１５０から排出される空気が鳴動部１６０に送られないようにする。これにより、鳴動部１６０を選択的に鳴動させることができる。
【００２０】
以下の説明では、排気に基づく鳴動について説明するが、鳴動のタイミングは排気時に限られない。たとえば、吸気時に鳴動する構成が使用されてもよい。この場合、鳴動部は、カフの吸気口の近傍に配置されてもよい。
【００２１】
［外観］
図２を参照して、血圧情報測定装置１００の構成の概略について説明する。図２は、血圧情報測定装置１００の外観を表わす図である。血圧情報測定装置１００は、図１に示される構成に加えて、操作スイッチ２０３と、本体モニタ２０４と、ハウジング２０６と、カバー２０７と、排気口２１０とを備える。
【００２２】
排気口２１０は、カフ部１７０から排出される空気を、血圧情報測定装置１００の前面（測定者の方向）に排出するように構成されている。排気口２１０の形状は、たとえば、矩形であるが、形状は矩形に限られない。円形、楕円形その他の形状が使用されてもよい。また、排気口２１０には、網目が形成されていてもよい。これにより、内部に埃が侵入することが防止される。
【００２３】
なお、図２に示される血圧情報測定装置１００は、据置型であるが、本実施の形態に係る血圧情報測定装置１００は、据置型に限られず、たとえば生体の腕にカフ部１７０を巻き付けるタイプのものであってもよい。この場合、カフ部１７０と本体１１０とが分離可能に構成される。
【００２４】
［ハードウェア構成］
図３を参照して、血圧情報測定装置１００の構成についてさらに説明する。図３は、血圧情報測定装置１００のハードウェア構成を表わすブロック図である。血圧情報測定装置１００のカフ部１７０は、腕帯３０２と、測定用カフ３０４とを備える。本体１１０は、ＣＰＵ１２０と、排気弁駆動回路３２１と、排気弁３２２と、エアポンプ駆動回路３２３と、エアポンプ３２４と、圧力センサ３２５と、増幅器３２６と、Ａ／Ｄ（Analog  to  Digital）変換器３２７と、フラッシュメモリ３２９と、ＲＡＭ（Random  Access  Memory）３３０と、操作スイッチ２０３と、スピーカ３３２と、本体モニタ２０４と、鳴動部１６０と、排気口２１０とを備える。
【００２５】
排気弁駆動回路３２１は、ＣＰＵ１２０から送られる命令に基づいて、排気弁３２２の開閉を制御する。エアポンプ駆動回路３２３は、ＣＰＵ１２０から送られる命令に基づいて、エアポンプ３２４を駆動する。エアポンプ３２４は、測定用カフ３０４に対して空気を供給する。圧力センサ３２５は、測定用カフ３０４における空気圧を検出し、その検出した圧力を増幅器３２６に送出する。増幅器３２６は、圧力センサ３２５から送られた信号を増幅し、増幅後の信号をＡ／Ｄ変換器３２７に送出する。Ａ／Ｄ変換器３２７は、増幅器３２６から出力された信号を増幅して、その増幅後の信号をＣＰＵ１２０に送出する。
【００２６】
フラッシュメモリ３２９は、血圧情報測定装置１００を実現するために予め準備されたデータおよび／またはプログラムを格納している。たとえば、フラッシュメモリ３２９は、本実施の形態に係るＣＰＵ１２０に固有の処理を実行させるためのファームウェア、アプリケーションプログラムなどを格納している。アプリケーションプログラムには、血圧値測定プログラムなどが含まれる。また、フラッシュメモリ３２９は、ＣＰＵ１２０によって生成されたデータ（たとえば被測定者の血圧値、血圧値の測定日時、被測定者の名前など）を格納する。
【００２７】
ＲＡＭ３３０は、ＣＰＵ１２０によって生成されたデータを揮発的に（一時的に）格納する。格納されるデータは、たとえば、ＣＰＵ１２０によって導出された血圧値、排気弁駆動回路３２１に対して与えられた命令、エアポンプ駆動回路３２３に対して与えられた命令などを含み得る。これらのデータは、履歴として、ある局面においてフラッシュメモリ３２９にも書き込まれ得る。
【００２８】
操作スイッチ２０３は、血圧情報測定装置１００に対する操作入力を受け付ける。ある局面において、操作スイッチ２０３は、本体１１０の前面に設けられたボタン、本体モニタ２０４の表示領域に構成されるタッチパネル式のスイッチなどにより実現される。
【００２９】
スピーカ３３２は、ＣＰＵ１２０から出力される信号に基づいて音声を出力する。出力される音声は、たとえば血圧情報測定装置１００の状態を示す音声を含む。
【００３０】
本実施の形態に係るＣＰＵ１２０は、駆動制御部３５３と、排気制御部３５４と、表示制御部３５６とを含む。駆動制御部３５３と、排気制御部３５４と、表示制御部３５６とは、ＣＰＵ１２０がソフトウェアを実行することにより実現される。
【００３１】
ある局面において、ＣＰＵ１２０は、駆動制御部３５３として、エアポンプ３２４を作動させるための命令を、エアポンプ駆動回路３２３に送出する。他の極面において、ＣＰＵ１２０は、排気制御部３５４として、排気弁３２２による排気を制御し、結果として鳴動部１６０による鳴動動作を制御する。他の局面において、ＣＰＵ１２０は、表示制御部３５６として、本体モニタ２０４における情報の表示を制御する。たとえば、ＣＰＵ１２０は、血圧情報測定装置１００が作動中であることを示す情報、あるいはエアポンプ３２４が駆動中であることもしくは排気中であることを示す画像を本体モニタ２０４に表示させる。測定後は、ＣＰＵ１２０は、血圧情報を本体モニタ２０４に表示する。
【００３２】
本体モニタ２０４は、ＣＰＵ１２０から送られる信号に基づいて、血圧情報測定装置１００によって導出される情報を表示する。表示される情報は、生体（被測定者）の血圧値、測定用カフ３０４の巻付け状態が正常であるか否かを表わすメッセージ、測定用カフ３０４の再度の巻付けを促すメッセージ、鳴動部１６０の鳴動の設定が有効であるか否かを表わす画像などを含み得る。
【００３３】
本体モニタ２０４は、たとえば、液晶ディスプレイ装置、有機ＥＬ（Electro  Luminescence）表示装置などによって実現される。
【００３４】
［鳴動部の構造］
図４を参照して、本実施の形態に係る血圧情報測定装置１００の鳴動部について説明する。図４は、鳴動部の一局面に従う笛構造４００の構成の概略を表わす図である。一実施の形態として、鳴動部１６０は、たとえば笛構造４００として実現される。より詳しくは、排気弁３２２と排気口２１０との間に、排出される空気が一定の流路を形成するように溝４０２が形成されている。溝４０２の側面には、複数の空気孔４１０，４１１，４１２などが形成されている。これらの空気孔により、溝４０２の内部（すなわち流れが整えられた空気の流量）と外部（本体１１０の外部に排出されにくい空気）との間に流速の差が生じる。そのため、笛構造４００は音を発し、この音は、排気口２１０から聴取される。その結果、血圧情報測定装置１００が排気している場合には、排気口２１０から音を聞くことができる。
【００３５】
以上のようにして、本発明の実施の形態に係る血圧情報測定装置１００は、鳴動部１２６０を備える。鳴動部１６０は、カフ部１７０から排出される空気によって鳴動する。その結果、血圧情報測定装置１００は、空気を排出していると、音を発する。血圧情報測定装置１００の使用者（たとえば、血圧値の測定者）は、その音を聞くと、血圧情報測定装置１００の測定が終了したことを感知することができる。たとえば、視力が衰えている使用者は、本体モニタ２０４の表示内容を視認することなく、血圧情報測定装置１００による計測が終了したことを知覚することができる。
【００３６】
＜変形例＞
図５を参照して、本実施の形態の変形例について説明する。図５は、本変形例に係る鳴動部１６０の構成の概略を表わす図である。本変形例において、鳴動部１６０は、ベル５００として実現される。ベル５００は、たとえば溝４０２の一面に鳴動可能なように取り付けられている。このような構成により、溝４０２を空気が流れる場合には、ベル５００はその空気に従って鳴動する。排気口２１０からは、ベル５００による音が聞こえる。溝４０２に取り付けられるベルは、一つに限られず、２つ、３つ等複数のベルが取り付けられてもよい。
【００３７】
本変形例に係る血圧情報測定装置によると、鳴動部１６０としてベル５００が使用される。ベル５００の音色は、血圧情報測定装置に応じて選択可能である。たとえば、季節によって、風鈴がベル５００として用いられてもよい。このようにすると、血圧情報測定装置は、測定後に心地良い音色を発することができるため、無味乾燥な使用態様に興趣を与えることができる。
【００３８】
＜第２の実施の形態＞
以下、本発明の第２の実施の形態について説明する。本実施の形態に係る血圧情報測定装置６００は、複数の鳴動部を有する点で、前述の第１の実施の形態に係る血圧情報測定装置１００と異なる。なお、本実施の形態に係る血圧情報測定装置６００は、後述する場合を除き、第１の実施の形態に係る血圧情報測定装置１００のハードウェア構成を用いて実現される。それらの機能も同じである。したがって、同一のハードウェア構成の説明は繰り返さない。
【００３９】
［技術思想］
図６を参照して、本実施の形態に係る血圧情報測定装置６００の技術思想について説明する。図６は、血圧情報測定装置６００の構成の概略を表わす図である。なお、前述の第１の実施の形態に係る血圧情報測定装置１００と同一の構成には同一の番号を付してある。それらの機能も同じである。したがってそれらの説明は繰り返さない。
【００４０】
血圧情報測定装置６００は、図１に示される構成に加えて、鳴動部１６２と、経路切換排気部６２０とをさらに備える。ＣＰＵ１２０は、血圧情報測定装置６００に対して与えられる命令に基づいて、あるいは予め設定された条件が成立したことに基づいて、経路切換排気部６２０に命令を送る。経路切換排気部６２０は、その命令に基づいて、カフ部１７０から排出される空気の経路を鳴動部１６０と鳴動部１６２との間で切り換える。経路切替排気部６２０は、たとえば、複数の溝のいずれかを開閉可能な弁として構成される。
【００４１】
鳴動部１６０と鳴動部１６２とは、各々が発する音が異なることが好ましい。これにより、たとえば音色によって血圧情報測定装置６００の動作の状態を通知することができる。
【００４２】
本実施の形態に係る血圧情報測定装置６００によると、複数の鳴動部１６０，１６２を備えるため、複数の音色を発することができる。これにより、血圧情報測定装置６００の発生音のバリエーションを増やし、興趣を高めることができる。
【００４３】
＜第３の実施の形態＞
以下、本発明の第３の実施の形態について説明する。本実施の形態に係る血圧情報測定装置７００は、鳴動部がカフ部７７０に形成されている点で、第１または第２の実施の形態に係る血圧情報測定装置と異なる。
【００４４】
そこで、図７を参照して、本発明の第３の実施の形態に係る血圧情報測定装置７００の構成について説明する。図７は、血圧情報測定装置７００の外観を表わす図である。血圧情報測定装置７００は、図２に示される構成に対して排気口２１０を有さない。代わりに、血圧情報測定装置７００は、カフ部７７０の端面に設けられた複数の排気口７８１，７８２を含む。以下、複数の排気口を総称するときは、排気口７８０ｎと表わす。
【００４５】
より詳しくは、複数の排気口７８０ｎは、ハウジング２０６の端面に形成されている。排気口の形状は、たとえば、楕円形、円形、矩形あるいは円弧状であるが、これらに限られない。また、排気口の数は複数に限られず、１つであってもよい。また、複数の排気口がハウジング２０６に形成される場合には、たとえばハウジング２０６の上部および下部ならびに左右に等間隔に設けられていてもよい。
【００４６】
図８を参照して、本実施の形態に係る血圧情報測定装置７００の構成についてさらに説明する。図８は、血圧情報測定装置７００の構成の概略を表わすブロック図である。血圧情報測定装置７００は、本体７１０と、カフ部７７０とを備える。本体７１０は、ＣＰＵ１２０と、加圧部１３０と、圧力検出部１４０とを含む。カフ部７７０は、カフ部１７０と、排気部１５０と、鳴動部１６０とを含む。
【００４７】
このような構成によると、排気口７８０ｎから空気が排出される際に、音も発せられる。排出される空気は、測定者の前面に向かって吹かれるため、測定者は、血圧情報測定装置７００による計測が終わったことを容易に認識できる。
【００４８】
複数の排気口７８０ｎは、カフ部７７０の端面に設けられているが、排気口７８０ｎの配置場所は、端面に限られない。たとえば、カフ部７７０の側面に設けられても良い。このようにすると、排気は、測定者の前面のみならず、血圧情報測定装置７００の周囲に送出されるため、鳴動音も周囲に発せられやすくなる。したがって、血圧情報測定装置７００が使用中であることが容易に報知される。
【００４９】
また、他の局面において、カフ部７７０は、透明な材料、たとえば、アクリル樹脂によって構成されていてもよい。そして、その内部には、複数の微小粒子が含まれていても良い。微小粒子は、たとえば、発泡スチロールによって構成されている。各微小粒子は、白色その他の色により着色されていてもよい。このような構成により、排気時には、各微小粒子が移動するため、血圧情報測定装置７００が作動していることを分かりやすく報知することができる。これにより、血圧情報測定装置７００の作動中、測定者は姿勢を維持する必要があるが、いつまで姿勢を維持しつづける必要があるかを容易に知ることができる。また、幼児あるいは学童は、微小粒子の動きに注意が向くので、血圧情報測定装置７００の使用を躊躇しにくくなる。
【００５０】
なお、他の局面において、排気口に、「吹流し」のような微小の整流片が取り付けられていても良い。そこで、図９を参照して、さらに他の局面に従う血圧情報測定装置８００について説明する。図９は、吹流し７９０，７９１，７９２が各排気口に取り付けられた血圧情報測定装置８００の外観を表わす図である。１つの排気口に取り付けられる吹流しは、１つでも複数でも良い。また、複数の排気口の各々に、１つまたは複数の吹流しが取り付けられても良い。このような構成により、血圧情報測定装置８００の使用者は、見えない空気の流れを視覚的に確認することができる。「吹流し」は、たとえば、紙、布その他空気の流れに応じて揺らぐことができる程度の軽量な材質であればよい。
【００５１】
なお、他の局面において、排気口７８０ｎには、フィルタが取り付けられても良い。たとえば、フィルタは、ごみを除去するためのフィルタなどである。この場合、清浄な空気が測定者に吹き付けられるため、排気による不快感を感じにくくなる。また、他の局面において、フィルタは、マイナスイオンを発するフィルタであってもよい。この場合、測定者は、排気を心地よく感じることができる。
【００５２】
＜変形例＞
以下、本実施の形態の変形例について説明する。本変形例に係る血圧情報測定装置９００は、音の切換機能を有する点で、血圧情報測定装置７００と異なる。
【００５３】
図１０は、本変形例に係る血圧情報測定装置９００の構成の概略を表わすブロック図である。血圧情報測定装置９００は、本体７１０と、測定部９７０とを備える。測定部９７０は、カフ部１７０と、経路切換排気部６２０と、鳴動部１６０，１６２とを備える。
【００５４】
経路切換排気部６２０は、ＣＰＵ１２０から送られる命令に基づいて、カフ部１７０から排出される空気の経路を、鳴動部１６０と鳴動部１６２との間で切り換える。ここで、鳴動部１６０の音と鳴動部１６２の音とが異なる場合には、血圧情報測定装置９００から聞こえる音が異なるため、血圧情報測定装置９００の動作の状態に応じて鳴動させることができる。
【００５５】
以上のようにして、本発明の第３の実施の形態に係る血圧情報測定装置７００または変形例に係る血圧情報測定装置９００は、排気口が形成された測定部を備える。通常、測定部は、測定者の前面に位置しているため、排出される空気は、測定者の前面（たとえば顔、首など）に送られる。したがって、目の不自由な使用者であっても、生態情報の測定の終了を容易に認識することができる。
【００５６】
［実施の形態の効果］
本発明の実施の形態に係る血圧情報測定装置によると、排気時に電気を消費することなく、加圧中、減圧中や測定終了などの機器の状態を使用者に報知することができる。また、非常時などで電源供給が遮断された場合でも、血圧情報測定装置は、当該状態を報知することができる。また、電力消費を伴うことなく大きな音を鳴らすことができる。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５８】
【図１】本発明の第１の実施の形態に係る血圧情報測定装置１００を実現する構成を表わすブロック図である。
【図２】血圧情報測定装置１００の外観を表わす図である。
【図３】血圧情報測定装置１００のハードウェア構成の概略を表わすブロック図である。
【図４】血圧情報測定装置１００の鳴動部の一局面に従う笛構造４００の構成の概略を表わす図である。
【図５】本発明の第１の実施の形態の変形例に係る鳴動部１６０の構成の概略を表わす図である。
【図６】本発明の第２の実施の形態に係る血圧情報測定装置６００の構成の概略を表わす図である。
【図７】本発明の第３の実施の形態に係る血圧情報測定装置７００の外観を表わす図である。
【図８】血圧情報測定装置７００の構成の概略を表わすブロック図である。
【図９】吹流し７９０，７９１，７９２が各排気口に取り付けられた血圧情報測定装置８００の外観を表わす図である。
【図１０】本発明の第３の実施の形態の変形例に係る血圧情報測定装置９００の構成の概略を表わすブロック図である。
【符号の説明】
【００５９】
１００，６００，７００，９００  血圧情報測定装置、１１０，７１０  本体、１２０  ＣＰＵ、１３０  加圧部、１４０  圧力検出部、１５０  排気部、１６０  鳴動部、１７０，７７０  カフ部、２０３  操作スイッチ、２０４  本体モニタ、２０６  ハウジング、２０７  カバー、２１０，７８１，７８２，７８ｎ  排気口、３０２  腕帯、３０４  測定用カフ、３２１  排気弁駆動回路、３２２  排気弁、３２３  エアポンプ駆動回路、３２４  エアポンプ、３２５  圧力センサ、３２６  増幅器、３２７  Ａ／Ｄ変換器、３２９  フラッシュメモリ、３３２  スピーカ、３３０  ＲＡＭ、３５３  駆動制御部、３５４  排気制御部、３５６  表示制御部、４００  笛構造、４０２  溝、４１０，４１１，４１２  空気孔、５００  ベル、９７０  測定部。
【図１】
2010029377.tif 000003
【図２】
2010029377.tif 000004
【図３】
2010029377.tif 000005
【図４】
2010029377.tif 000006
【図５】
2010029377.tif 000007
【図６】
2010029377.tif 000008
【図７】
2010029377.tif 000009
【図８】
2010029377.tif 000010
【図９】
2010029377.tif 000011
【図１０】
2010029377.tif 000012